(57)【要約】【課題】車両への置き忘れ報知が過多となることを防止する。【解決手段】本発明の置き忘れ報知装置１０は、持ち込み物学習機能部１３ｃが、持ち込み物画像認識識別処理部１３ｂによって画像認識され識別された持ち込み物が持ち込まれた回数、該持ち込み物が車両１から持ち出された回数およびそれらの比率（持ち出し比率）を記憶部１２の持ち込み物学習テーブル１２ｄに登録する。また、持ち込み物置き忘れ判定部１３ｄが、持ち込み物画像認識識別処理部１３ｂによって車両１から持ち出されたとされなかった持ち込み物について、持ち込み物学習テーブル１２ｄを参照し、該持ち込み物の持ち出し比率が所定閾値未満である場合に、該持ち込み物が依然として車両１の車室に存在することは置き忘れではなく、乗員の意志に基づいて置き残されたものであると判定して、置き忘れとして報知しない。【選択図】        図１
2008262459.tif 000002
【特許請求の範囲】
【請求項１】
乗員によって車両に持ち込まれた持ち込み物品の該車両への置き忘れを報知する置き忘れ報知装置であって、
前記乗員によって該車両へ持ち込まれた持ち込み物品を検知する持ち込み物品検知手段と、
前記乗員の前記車両からの降車の動作を検知する降車検知手段と、
前記降車検知手段により前記車両からの前記乗員の降車の動作が検知されると、前記持ち込み物品検知手段によって検知された持ち込み物品のうち該乗員によって該車両から持ち出されなければならない持ち込み物品を判定する持ち出し物品判定手段と、
前記持ち出し物品判定手段により前記乗員によって前記車両から持ち出されなければならないと判定された持ち込み物品が実際に該車両から持ち出されたか否かを判定する持ち出し判定手段と、
前記持ち出し判定手段により、前記持ち出し物品判定手段によって前記乗員により持ち出されなければならないと判定された持ち込み物品のうち実際に前記車両から持ち出されたと判定されなかった持ち込み物品を前記乗員に報知する報知手段と
を有することを特徴とする置き忘れ報知装置。
【請求項２】
前記持ち出し判定手段による判定結果を持ち出し履歴として記憶する持ち出し履歴記憶手段をさらに有し、
前記持ち出し物品判定手段は、前記持ち出し履歴記憶手段に記憶される前記持ち出し履歴に基づいて、前記持ち込み物品検知手段によって検知された持ち込み物品のうち前記乗員によって前記車両から持ち出されなければならない持ち込み物品を判定することを特徴とする請求項１に記載の置き忘れ報知装置。
【請求項３】
前記持ち込み物品検知手段は、前記乗員によって前記車両へ持ち込まれた持ち込み物品を識別するとともに、該持ち込み物品が前記車両内において存在する場所を特定し、
前記報知手段は、前記持ち込み物品検知手段により検知された、前記乗員によって前記車両へ持ち込まれた持ち込み物品の識別結果および存在場所を該乗員に報知することを特徴とする請求項１または２に記載の置き忘れ報知装置。
【請求項４】
前記報知手段は、容易に視認可能に前記車両の運転者に表示する表示装置を使用して、前記持ち出し判定手段により実際に前記車両から持ち出されたと判定されなかった持ち込み物品を前記運転者に報知することを特徴とする請求項１〜３のいずれか一つに記載の置き忘れ報知装置。
【発明の詳細な説明】
【技術分野】
【０００１】
本発明は、乗員によって車両に持ち込まれた持ち込み物品の該車両への置き忘れを報知する置き忘れ報知装置に関し、特に、持ち込み物のうち置き忘れの報知が真に必要なものを選別し、置き忘れの報知が過多となることを防止して真に置忘れを報知しなければならない持ち込み物の置き忘れの報知効果の減殺を抑止する置き忘れ報知装置に関する。
【背景技術】
【０００２】
従来から、乗員の乗車時に車両に持ち込まれた物品が、該乗員の車両からの降車時に車内に置き忘れられたことを検知してこれを報知する装置が提案されている。例えば、特許文献１および２には、乗車時の車室の状況を撮影した画像データで保存しておき、降車時の車室の状況を撮影した画像データとの比較に基づいて乗員が持ち込み物の持ち出しを忘れていないかを検知して報知する車室内忘れ物防止装置が開示されている。
【０００３】
また、特許文献３には、車両に積載される荷物を、乗員が乗車する前と降車後の荷物構成を比較し、変化がある場合には持ち込み物の置き忘れがあると判定してこれを乗員に報知する車両荷物管理装置が開示されている。
【０００４】
また、特許文献４には、車両に持ち込まれる携帯電話機が、乗員の降車時にその接続インターフェースに接続されていたならば、これによって携帯電話の車室への置忘れと判定して該乗員へ報知するカーナビゲーション装置が開示されている。
【０００５】
なお、特許文献５には、倉庫や店舗内で保管中の物品の所在を検出したり家庭や事務所内で置き忘れた物品の所在を検出したりすることができる物品所在検出装置が開示されている。また、特許文献６には、店舗などの限られたエリア内で無線機を追跡することによって該無線機の位置を確認することができる位置確認システムが開示されている。
【０００６】
【特許文献１】特開２００５−１１５９１１号公報
【特許文献２】特開２００６−３３８５３５号公報
【特許文献３】特開２００７−１７２４号公報
【特許文献４】特開２００４−６９４１９号公報
【特許文献５】特開２００４−１９１２９３号公報
【特許文献６】特開２００４−２３５９５７号公報
【発明の開示】
【発明が解決しようとする課題】
【０００７】
しかしながら、上記特許文献１および２に代表される従来技術では、乗員が乗車時に車室に持ち込んだ持ち込み物は、該乗員の降車時に必ず持ち出されるという前提に立っているため、乗員が持ち込み物を意図的に車室に置き残した場合であっても置き忘れの報知がなされることとなる。これにより、乗員は、報知が過多となる場合には煩わしさを覚えさせられるのみならず、持ち込み物が複数ある場合には、複数の持ち込み物が置き忘れられたとして報知されると、真に置忘れを報知しなければならない持ち込み物の置き忘れの報知効果を減殺してしまいかねないという問題があった。なお、特許文献１および２に開示される従来技術に、上記特許文３〜６に開示される従来技術を組み合わせたとしてもなお、上記問題点は解消されない。
【０００８】
本発明は、上記問題点（課題）を解消するためになされたものであって、車両への持ち込み物品のうち置き忘れの報知が真に必要なものを選別し、置き忘れの報知が過多となることを防止して真に置忘れを報知しなければならない持ち込み物の置き忘れの報知効果の減殺を抑止する置き忘れ報知装置を提供する。
【課題を解決するための手段】
【０００９】
上述した問題を解決し、目的を達成するため、本発明は、乗員によって車両に持ち込まれた持ち込み物品の該車両への置き忘れを報知する置き忘れ報知装置であって、前記乗員によって該車両へ持ち込まれた持ち込み物品を検知する持ち込み物品検知手段と、前記乗員の前記車両からの降車の動作を検知する降車検知手段と、前記降車検知手段により前記車両からの前記乗員の降車の動作が検知されると、前記持ち込み物品検知手段によって検知された持ち込み物品のうち該乗員によって該車両から持ち出されなければならない持ち込み物品を判定する持ち出し物品判定手段と、前記持ち出し物品判定手段により前記乗員によって前記車両から持ち出されなければならないと判定された持ち込み物品が実際に該車両から持ち出されたか否かを判定する持ち出し判定手段と、前記持ち出し判定手段により、前記持ち出し物品判定手段によって前記乗員により持ち出されなければならないと判定された持ち込み物品のうち実際に前記車両から持ち出されたと判定されなかった持ち込み物品を前記乗員に報知する報知手段とを有することを特徴とする。
【００１０】
また、本発明は、上記発明において、前記持ち出し判定手段による判定結果を持ち出し履歴として記憶する持ち出し履歴記憶手段をさらに有し、前記持ち出し物品判定手段は、前記持ち出し履歴記憶手段に記憶される前記持ち出し履歴に基づいて、前記持ち込み物品検知手段によって検知された持ち込み物品のうち前記乗員によって前記車両から持ち出されなければならない持ち込み物品を判定することを特徴とする。
【００１１】
また、本発明は、上記発明において、前記持ち込み物品検知手段は、前記乗員によって前記車両へ持ち込まれた持ち込み物品を識別するとともに、該持ち込み物品が前記車両内において存在する場所を特定し、前記報知手段は、前記持ち込み物品検知手段により検知された、前記乗員によって前記車両へ持ち込まれた持ち込み物品の識別結果および存在場所を該乗員に報知することを特徴とする。
【００１２】
また、本発明は、上記発明において、前記報知手段は、容易に視認可能に前記車両の運転者に表示する表示装置を使用して、前記持ち出し判定手段により実際に前記車両から持ち出されたと判定されなかった持ち込み物品を前記運転者に報知することを特徴とする。
【発明の効果】
【００１３】
本発明によれば、車両から持ち出されなければならないと判定された持ち込み物品が実際に該車両から持ち出されたか否かを判定し、乗員により持ち出されなければならないと判定された持ち込み物品のうち実際に車両から持ち出されたと判定されなかった持ち込み物品を乗員に報知するので、持ち込み物品のうち置き忘れの報知が真に必要なものを選別して報知することにより置き忘れを防止するとともに、置き忘れの報知が必要以上に過多となることを防止し、真に置忘れを報知しなければならない持ち込み物品の置き忘れの報知効果の減殺を抑止することが可能になるという効果を奏する。
【００１４】
また、本発明によれば、持ち出し物品判定手段は、持ち出し履歴記憶手段に記憶される持ち出し履歴に基づいて、持ち込み物品検知手段によって検知された持ち込み物品のうち乗員によって車両から持ち出されなければならない持ち込み物品を判定するので、持ち込み物品のうち置き忘れの報知が真に必要なものを乗員の持ち出し履歴に基づいて選別することが可能になるという効果を奏する。
【００１５】
また、本発明によれば、報知手段は、持ち込み物品検知手段により検知された、乗員によって車両へ持ち込まれた持ち込み物品の識別結果および存在場所を該乗員に報知するので、乗員は、車両において何がどこに存在するかを認識することが可能にとなるという効果を奏する。
【００１６】
また、本発明によれば、置き忘れの報知を、前方視界から視線を大きく移動させることなく、容易かつ確実に運転者に報知できるという効果を奏する。
【発明を実施するための最良の形態】
【００１７】
以下に添付図面を参照し、本発明の置き忘れ報知装置に係る実施例を詳細に説明する。
【実施例】
【００１８】
先ず、実施例にかかる置き忘れ報知装置の構成について説明する。図１は、実施例にかかる置き忘れ報知装置の構成を示す機能ブロック図である。同図に示すように、車両１において、置き忘れ報知装置１０と、車室監視カメラ２０と、通信インターフェース３０と、艤装系制御部４０とが、ＣＡＮ（Controller  Area  Network）２を介して相互に通信可能に接続されている。
【００１９】
実施例にかかる置き忘れ報知装置１０は、ディスプレイ装置などの表示手段である表示部１１ａと、スピーカなどの音声発生手段である音声発生部１１ｂと、記憶手段である記憶部１２と、置き忘れ報知装置全体の制御をつかさどる制御部１３とを有する。表示部１１ａは、車両のセンターコンソール（図示せず）に内蔵される、もしくは該センターコンソールの上部に配置され、車両の運転に支障なく視認可能に該車両の運転者に表示し、前方視界から視線を大きく移動させることなく、容易かつ確実に運転者に報知する。
【００２０】
記憶部１２は、撮像画像を撮像タイミングごとに記憶する画像メモリである持ち込み物画像記憶テーブル１２ａと、持ち込み物画像パターンデータテーブル１２ｂと、持ち込み物一覧テーブル１２ｃと、持ち込み物学習テーブル１２ｄとをさらに有する。
【００２１】
制御部１３は、持ち込み物画像記憶処理部１３ａと、持ち込み物画像認識識別処理部１３ｂと、持ち込み物学習機能部１３ｃと、持ち込み物置き忘れ判定部１３ｄと、持ち込み物置き忘れ報知制御部１３ｅと、持ち込み物一覧表示制御部１３ｆとをさらに有する。
【００２２】
持ち込み物画像記憶処理部１３ａは、車室監視カメラ２０によって撮像された画像を、一定周期で繰り返して記憶部１２の持ち込み画像記憶テーブル１２ａに、撮像タイミングを特定可能に記憶させる。例えば、イグニションオフとなる所定時間前のタイミングやシフトレバー位置がＰレンジとなる所定時間前のタイミングを特定可能に記憶させる。
【００２３】
持ち込み物画像認識識別処理部１３ｂは、記憶部１２の持ち込み物画像パターンデータテーブル１２ｂを参照して、車室監視カメラ２０によって撮像された画像にいずれかの持ち込み物が含まれているか否かを画像認識処理により認識し、現在の持ち込み物が何であるかを識別し、認識結果および識別結果を記憶部１２の持ち込み物一覧テーブル１２ｃに登録する処理部である。持ち込み物画像認識識別処理部１３ｂは、この処理を一定周期で繰り返して、持ち込み物一覧テーブル１２ｃの登録内容を更新する。
【００２４】
また、持ち込み物画像認識識別処理部１３ｂは、車両１のシフトレバーがＰレンジにされた、もしくはイグニションスイッチがオフにされたなど、運転者または乗員が車両１から降車する状況と想定されるときに車室監視カメラ２０によって撮像された画像と、記憶部１２の持ち込み画像記憶テーブル１２ａに記憶されるイグニションオフとなる所定時間前のタイミングやシフトレバー位置がＰレンジとなる所定時間前のタイミングの画像との差分をとり、その差分に含まれる持ち込み物を画像認識処理により認識し、降車時に車室内に置き忘れられている持ち込み物が何であるかを識別する。そして、イグニションオフとなる所定時間前のタイミングやシフトレバー位置がＰレンジとなる所定時間前のタイミングの画像よりこのタイミングでの持ち込み物が何であるかを識別し、このタイミングでの識別結果に含まれていて、イグニションオフとなる所定時間前のタイミングやシフトレバー位置がＰレンジとなる所定時間前のタイミングの画像の認識結果および識別結果に含まれない持ち込み物は、車両１から持ち出されたと判定する。
【００２５】
持ち込み物学習機能部１３ｃは、持ち込み物画像認識識別処理部１３ｂによって画像認識され識別された持ち込み物が持ち込まれた回数、該持ち込み物が車両１から持ち出された回数およびそれらの比率（持ち出し比率）を記憶部１２の持ち込み物学習テーブル１２ｄに登録する処理部である。
【００２６】
持ち込み物置き忘れ判定部１３ｄは、持ち込み物画像認識識別処理部１３ｂによって車両１から持ち出されたとされなかった持ち込み物（すなわち置き忘れの可能性があるとされた持ち込み物）について、持ち込み物学習テーブル１２ｄを参照し、該持ち込み物の持ち出し比率が所定閾値（例えば１０％）未満である場合に、該持ち込み物が依然として車両１の車室に存在することは置き忘れではなく、乗員の意志に基づいて置き残されたものであると判定する。無論、置き忘れの可能性があるとされた持ち込み物の持ち出し比率が前述の所定閾値以上である場合は、元来当該持ち込み物は当該乗員によって持ち出される傾向が強いにもかかわらず持ち出されなかったと判定できるので、置き忘れと見なすことができる。
【００２７】
持ち込み物置忘れ報知制御部１３ｅは、持ち込み物置き忘れ判定部１３ｄによって置き忘れと判定された持ち込み物の名称、置き忘れ位置などを特定して、乗員に対して表示部１１ａにおける画像表示で報知したり、音声発生部１１ｂにおける音声で報知したりする。
【００２８】
持ち込み物一覧表示制御部１３ｆは、持ち込み物一覧テーブル１２ｃの登録内容を、自動的または乗員の操作に応じて表示部１１ａにて一覧表示する制御部である。
【００２９】
車室監視カメラ２０は、車両１の車室の所定位置に少なくとも一台設置されるカメラであり、例えば図６に示すように、車室の前部ダッシュボード左、前部ダッシュボード中央、前部ダッシュボード右、助手席足下、運転席足下、助手席、運転席、左リアシート足下、右リアシート足下、左リアシート、右リアシート、後部ダッシュボード左、後部ダッシュボード中央、後部ダッシュボード右のいずれの位置であるかを特定可能に画像を撮像可能に設置されている。
【００３０】
通信インターフェース３０は、例えばBluetooth（登録商標）など電波を使用する通信インターフェースや赤外線を使用するＩｒＤＡ（Infrared Data Association）などの無線通信インターフェース、あるいは有線通信インターフェースの双方を含む。この通信インターフェース３０は、車両１の車室内に固定的に配置されるものである。この通信インターフェース３０を介して携帯電話機や携帯オーディオ機器などの通信機能を有する電子機器の機器ＩＤが取得可能であるので、これらの機器は画像認識によらずともその種類、置き忘れ位置が特定可能となる。
【００３１】
艤装系制御部４０は、車両１に備えられる電装部品を制御する処理部であり、車速センサ４０ａと、シフトレバー位置センサ４０ｂと、イグニションスイッチ４０ｃとをさらに有する。車速センサ４０ａは、車両１の車速を検知するセンサである。シフトレバー位置センサ４０ｂは、シフトレバーの位置を検知するセンサである。イグニションスイッチ４０ｃは、車両１のエンジンの始動スイッチである。
【００３２】
次に、図１に示した持ち込み物画像パターンデータテーブル１２ｂについて説明する。図２は、持ち込み物画像パターンデータテーブル１２ｂの例を示す図である。同図に示すように、持ち込み物画像パターンデータテーブル１２ｂは、“物品名”に“画像パターンデータ”が対応付けられて記憶されている。例えば“物品名”「携帯電話機」には“画像パターンデータ”「携帯電話機画像パターンデータ」が対応付けられている。
【００３３】
“画像パターンデータ”は３次元の画像データである。このため、車室監視カメラ２０によって撮像された画像が、持ち込み物のいかなる方向から撮像された画像であっても、持ち込み物画像認識識別処理部１３ｂの３次元画像パターンマッチング処理によって“画像パターンデータ”との一致を見出すことができる。“画像パターンデータ”に基づく３次元画像を、該３次元画像の重心を通過する任意の直線を回転軸として適宜回転させることにより、撮像された画像に含まれる持ち込み物との一致性を見出し、その物品名を特定することが可能となる。なお、３次元画像パターンマッチング処理は、画像パターンの一致度が所定の尤度（例えば８０％）以上となった場合に、撮像された画像と“画像パターンデータ”に基づく画像とが同一であると見なす。
【００３４】
次に、図１に示した持ち込み物一覧テーブル１２ｃについて説明する。図３は、持ち込み物一覧テーブル１２ｃの例を示す図である。同図に示すように、持ち込み物一覧テーブル１２ｃは、“持ち込み物”に“置き場所”が対応付けられて記憶されている。例えば“持ち込み物”「携帯電話機」には“置き場所”「助手席」が対応付けられている。この一覧を使用することによって、乗員が車両１から降車するタイミングで自動的に、もしくは乗員の操作に応じて、持ち込み物一覧表示制御部１３ｆの処理によって、その時点で車両１の車室に存在する持ち込み物の一覧を表示部１１ａに表示させることが可能となる。
【００３５】
次に、図１に示した持ち込み物学習テーブル１２ｄについて説明する。図４は、持ち込み物学習テーブル１２ｄの例を示す図である。同図に示すように、持ち込み物学習テーブル１２ｄは、“持ち込み物”に“持ち込み回数”、“持ち出し回数”、“持ち出し比率”が対応付けられて持ち出し履歴として記憶されている。“持ち込み物”が新たに学習される際に、持ち込み物学習機能部１３ｃによって持ち込み物学習テーブル１２ｄに新たなエントリが追加される。そして、持ち込み物学習機能部１３ｃによって、同一の“持ち込み物”が車室へ持ち込まれるごとに、対応する“持ち込み回数”がインクリメント（１を加算）され、同一の“持ち込み物”が車室から持ち出されるごとに、対応する“持ち出し回数”がインクリメントされる。そして、持ち込み物学習機能部１３ｃによって、“持ち込み回数”または“持ち出し回数”がインクリメントされる都度、対応する“持ち出し比率”が再計算され更新されることとなる。
【００３６】
例えば“持ち込み物”「携帯電話機」には“持ち込み回数”「７０回」、“持ち出し回数”「７０回」、“持ち出し比率”「１００％」が対応付けられている。この持ち出し履歴を使用することによって、乗員がその持ち込み物を持ち込んだ後の持ち出す可能性が過去の履歴から分かるので、当該持ち込み物が持ち出されなかったことが、乗員による意図的な置き残しであるか否かを、根拠のある明確な基準に基づいて判定することが可能となる。
【００３７】
次に、図１に示した置き忘れ報知装置１０で実行される持ち込み物置き忘れ判定処理について説明する。図５は、持ち込み物置き忘れ判定処理手順を示すフローチャートである。同図に示すように、先ず、制御部１３は、車速センサ４０ａが検知した車速がゼロか否かを判定する（ステップＳ１０１）。車速がゼロと判定される場合に（ステップＳ１０１肯定）、ステップＳ１０２へ移り、車速がゼロと判定されない場合に（ステップＳ１０１否定）、ステップＳ１０１を繰り返す。
【００３８】
ステップＳ１０２では、先ず、持ち込み物画像記憶処理部１３ａが車室監視カメラ２０の撮像画像を持ち込み物画像記憶テーブル１２ａに記憶する。そして、持ち込み物画像認識識別処理部１３ｂが持ち込み物画像記憶テーブル１２ａに記憶される画像データに基づいて持ち込み物を認識し、識別する。このようにして持ち込み物が検知される。
【００３９】
続いて、制御部１３は、シフトレバー位置センサ４０ｂまたはイグニションスイッチ４０ｃの検知に基づいて、シフトレバーがＰレンジにされた、もしくはイグニションスイッチがオフにされたか否かを判定する（ステップＳ１０３）。シフトレバーがＰレンジにされた、もしくはイグニションスイッチがオフにされたと判定される場合に（ステップＳ１０３肯定）、ステップＳ１０４へ移り、シフトレバーがＰレンジにされた、もしくはイグニションスイッチがオフにされたと判定されない場合に（ステップＳ１０３否定）、ステップＳ１０１へ移る。
【００４０】
ステップＳ１０４では、ステップＳ１０２同様に、持ち込み物画像記憶処理部１３ａが車室監視カメラ２０の撮像画像を持ち込み物画像記憶テーブル１２ａに記憶し、持ち込み物画像認識識別処理部１３ｂが持ち込み物画像記憶テーブル１２ａに記憶される画像データに基づいて持ち込み物を認識し、識別する。
【００４１】
続いて、持ち込み物画像認識識別処理部１３ｂは、シフトレバーがＰレンジにされた前後、もしくはイグニションキーがオフにされた前後の持ち込み物の位置を比較する（ステップＳ１０５）。続いて、持ち込み物学習機能部１３ｃは、ステップＳ１０５の比較結果を履歴として持ち込み物学習テーブル１２ｄに登録する（ステップＳ１０６）。
【００４２】
続いて、持ち込み物画像認識識別処理部１３ｂは、持ち込み物は移動されたか、すなわち持ち込み物は車両１から持ち出されたか否かを判定する（ステップＳ１０７）。持ち込み物は移動されたと判定される場合に（ステップＳ１０７肯定）、持ち込み物置き忘れ判定処理は終了し、持ち込み物は移動されたと判定されない場合に（ステップＳ１０７否定）、ステップＳ１０８へ移る。
【００４３】
ステップＳ１０８では、持ち込み物置き忘れ判定部１３ｄは、持ち込み物学習テーブル１２ｄを参照して、持ち込み物が頻繁に車両１から持ち出されているか否か、すなわち持ち出し比率は所定閾値（例えば８０％）以上か否かを判定する。持ち込み物が頻繁に車両１から持ち出されていると判定される場合、持ち込み物は車両から持ち出されなければならない持ち込み物であり（ステップＳ１０８肯定）、持ち込み物置き忘れ報知制御部１３ｅは、表示部１１ａで画像表示による置き忘れの報知をおこない、音声発生部１１ｂから音声を発して置き忘れの報知をおこなう（ステップＳ１０９）。ステップＳ１０９が終了すると、持ち込み物置き忘れ判定処理は終了する。なお、持ち込み物が頻繁に車両１から持ち出されていると判定されない場合には持ち込み物は車両から持ち出されなければならない持ち込み物ではないとして（ステップＳ１０８否定）、持ち込み物置き忘れ判定処理は終了する。
【００４４】
次に、表示部１１ａにおける持ち込み物置き忘れ報知画面例について説明する。図６は、上記したように、車両１における持ち込み物の置き忘れ位置を示す画面例を示す図である。この画面に重畳するように、図７−１〜図７−３に示すように持ち込み物の置き忘れを、置き忘れた物品名と置き忘れ位置とを特定して報知する。
【００４５】
例えば、図７−１に示すように、前部ダッシュボード左にＥＴＣカードを置き忘れた場合には、この「前部ダッシュボード左」を認識可能にして（例えば該当箇所を点滅表示させるなど）「ＥＴＣカードの抜き忘れに注意してください」というメッセージを、表示部１１０ａの表示画面の右半分を使用した半画面の割り込み表示にて表示する。
【００４６】
また、図７−２に示すように、左リアシートに携帯電話機を置き忘れた場合には、この「左リアシート」を認識可能にして（例えば該当箇所を点滅表示させるなど）「携帯電話機の置き忘れに注意してください」というメッセージを、表示部１１０ａの表示画面の右半分を使用した半画面の割り込み表示にて表示する。
【００４７】
また、図７−３に示すように、右リアシートにスマートキーを置き忘れた場合には、この「右リアシート」を認識可能にして（例えば該当箇所を点滅表示させるなど）「スマートキーの置き忘れに注意してください」というメッセージを、表示部１１０ａの表示画面の右半分を使用した半画面の割り込み表示にて表示する。
【００４８】
なお、図７−１〜図７−３に示す表示例では、画面右下に“戻る”という操作表示部が表示されており、この操作表示部が押下されると、持ち込み物置き忘れ報知制御部１３ｅは、持ち込み物置き忘れ報知画面を消去する制御をおこなう。
【００４９】
以上、本発明の実施例を説明したが、本発明は、これに限られるものではなく、特許請求の範囲に記載した技術的思想の範囲内で、更に種々の異なる実施例で実施されてもよいものである。また、実施例に記載した効果は、これに限定されるものではない。
【００５０】
上記実施例によれば、置き忘れ報知装置１０の持ち込み物画像パターンデータテーブル１２ｂに物品の画像パターンデータの種類をより多く登録しておくことによって、あらゆる物品の置き忘れを認識して報知することが可能となる。このため、置き忘れ報知をおこなうために、各持ち込み物にＩＣ（Integrated Circuit）タグなどを装着する必要がなく、実用性に優れる。
【００５１】
上記実施例では、置き忘れであるか否かを判定して該置き忘れが真の置き忘れであるか、もしくは単なる意図的な置き残しであるかを判定する基準として、過去の履歴に基づく持ち出し比率を採用した。しかしこれに限らず、外部環境（例えば車両１を取り巻く気象条件、地理的状況、交通状況、道路状況など）を検知する装置を備え、外部環境を基準としてその持ち込み物が真に置き忘れられたものか、単に置き残されたものであるかを判定することとしてもよい。すなわち、所定の基準を外部環境として当該持ち込み物が真に置き忘れられたものか、単に置き残されたものであるかを判定するようにしてもよい。このように、当該持ち込み物が真に置き忘れられたものか、単に置き残されたものであるかを判定するための所定の基準は、持ち出し履歴と外部環境とを含む。
【００５２】
例えば車両１が外気温センサを搭載し、この外気温センサにより検知される外気温が低温であるにもかかわらず外套類が車室内に取り残された場合は、これを置き忘れと見なすことができる。また、外気温センサにより検知される外気温が低温でない場合に外套類が車室内に取り残された場合は、これを置き忘れと見なさないとすることができる。
【００５３】
上記実施例では、カメラは車室監視カメラ２０のみとしたが、これに限らず、トランクルームにも同様のカメラを備え、持ち込み物の置き忘れを監視することとしてもよい。
【００５４】
上記実施例では、車室監視カメラ２０を使用して、画像認識により持ち込み物の置き忘れを認識するとしたが、これに限らず、車室監視カメラ２０に代えて各種センサ類を使用してもよい。
【００５５】
また、上記実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記実施例で示した処理手順、制御手順、具体的名称、各種のデータやパラメータを含む情報については、特記する場合を除いて任意に変更することができる。
【００５６】
また、図示した各装置の各構成要素は機能概念的なものであり、必ずしも物理的に図示のように構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【００５７】
さらに、各装置にて行なわれる各処理機能は、その全部または任意の一部が、ＣＰＵ（Central Processing Unit）（またはＭＰＵ（Micro Processing Unit）、ＭＣＵ（Micro Controller Unit）などのマイクロ・コンピュータ）および当該ＣＰＵ（またはＭＰＵ、ＭＣＵなどのマイクロ・コンピュータ）にて解析実行されるプログラムにて実現され、あるいは、ワイヤードロジックによるハードウェアとして実現されてもよい。
【産業上の利用可能性】
【００５８】
本発明は、車両への持ち込み物品のうち置き忘れの報知が真に必要なものを選別し、置き忘れの報知が過多となることを防止して真に置忘れを報知しなければならない持ち込み物品の置き忘れの報知効果の減殺を抑止したい場合に有用である。
【図面の簡単な説明】
【００５９】
【図１】実施例にかかる置き忘れ報知装置の構成を示す機能ブロック図である。
【図２】持ち込み物画像パターンデータテーブル１２ｂの例を示す図である。
【図３】持ち込み物一覧テーブル１２ｃの例を示す図である。
【図４】持ち込み物学習テーブル１２ｄの例を示す図である。
【図５】持ち込み物置き忘れ判定処理手順を示すフローチャートである。
【図６】車両１における持ち込み物の置き忘れ位置を示す画面例を示す図である。
【図７−１】持ち込み物の置き忘れを、置き忘れた物品名と置き忘れ位置とを特定して報知する画面例を示す図である。
【図７−２】持ち込み物の置き忘れを、置き忘れた物品名と置き忘れ位置とを特定して報知する画面例を示す図である。
【図７−３】持ち込み物の置き忘れを、置き忘れた物品名と置き忘れ位置とを特定して報知する画面例を示す図である。
【符号の説明】
【００６０】
１    車両
１０    置き忘れ報知装置
１１ａ    表示部
１１ｂ    音声発生部
１２    記憶部
１２ａ    持ち込み物画像記憶テーブル
１２ｂ    持ち込み物画像パターンデータテーブル
１２ｃ    持ち込み物一覧テーブル
１２ｄ    持ち込み物学習テーブル
１３    制御部
１３ａ    持ち込み物画像記憶処理部
１３ｂ    持ち込み物画像認識識別処理部
１３ｃ    持ち込み物学習機能部
１３ｄ    持ち込み物置き忘れ判定部
１３ｅ    持ち込み物置忘れ報知制御部
１３ｆ    持ち込み物一覧表示制御部
２０    車室監視カメラ
３０    通信インターフェース
４０    艤装系制御部
４０ａ    車速センサ
４０ｂ    シフトレバー位置センサ
４０ｃ    イグニションスイッチ
【図１】
2008262459.tif 000003
【図２】
2008262459.tif 000004
【図３】
2008262459.tif 000005
【図４】
2008262459.tif 000006
【図５】
2008262459.tif 000007
【図６】
2008262459.tif 000008
【図７−１】
2008262459.tif 000009
【図７−２】
2008262459.tif 000010
【図７−３】
2008262459.tif 000011